(57)【要約】【課題】  本発明は、落下等の衝撃力が加わったとしても、変形することが無く、更に薄型化が可能なシャッタ装置シャッタ装置およびこれを用いたカメラ装置を提供すること。【解決手段】  本発明のシャッタ装置Ｓのベース部材３の上面には、シャッタ羽根１２が摺動自在の平坦状の羽根摺動面３ａが形成され、この羽根摺動面３ａの外周側には羽根摺動面３ａより高い外周壁３ｄが形成され、この外周壁３ｄと開口部３ａとの間の一部には、アクチュエータ２を収納可能な空洞状の収納部３ｅが形成され、少なくと収納部３ｅには、外周壁３ｄを補強するための補強部４、５が、外周壁３ｄと同じ高さ、あるいは外周壁３ｄより高く形成されている。【選択図】        図１
2006072022.tif 000002
【特許請求の範囲】
【請求項１】
所定の口径の開口部が形成されたベース部材と、前記開口部を開閉する方向に回動操作可能なシャッタ羽根と、前記開口部を開閉可能に前記シャッタ羽根を回動操作可能なアクチュエータとを備え、前記ベース部材の上面には、前記シャッタ羽根が摺動自在の平坦状の羽根摺動面が形成され、この羽根摺動面の外周側には前記羽根摺動面より高い外周壁が形成され、この外周壁と前記開口部との間の一部には、前記アクチュエータを収納可能な空洞状の収納部が形成され、少なくとも前記収納部を形成した部分の前記外周壁には、この外周壁を補強するための補強部が前記外周壁より高く形成されていることを特徴とするシャッタ装置。
【請求項２】
前記ベース部材には、前記開口部が形成された部分の内部に、カメラ装置側のレンズ鏡筒が嵌合可能な中空状の鏡筒嵌合部が形成されていることを特徴とする請求項１記載のシャッタ装置。
【請求項３】
前記ベース部材には、前記羽根摺動面上に位置する前記シャッタ羽根の上部を覆うトップカバーと、前記収納部に位置する前記アクチュエータの下部を覆うボトムカバーとが配設され、前記外周壁より高く形成された前記補強部によって、前記トップカバーおよび前記ボトムカバーが位置決め可能になっていることを特徴とする請求項１、または２記載のシャッタ装置。
【請求項４】
前記ボトムカバーおよび前記トップカバーを位置決めした前記補強部は、前記ボトムカバーおよび前記トップカバーから所定量突出していることを特徴とする請求項３記載のシャッタ装置。
【請求項５】
請求項１乃至３のいずれかに記載のシャッタ装置と、所定の口径のレンズを有するレンズ鏡筒と、このレンズ鏡筒の後端側に配設した撮像素子と、前記レンズ鏡筒との間に前記シャッタ装置を挟持可能なケース部材とを備え、
前記ケース部材と前記レンズ鏡筒との間に挟持した前記シャッタ装置は、前記ケース部材によって前記補強部が押圧されて、前記レンズ鏡筒に取付可能になっていることを特徴とするカメラ装置
【請求項６】
前記レンズ鏡筒は、第１のレンズを内部に収納する外径の大きな第１鏡筒部と、第２のレンズを内部に収納して前記第１鏡筒部から一方側に突出する前記第１鏡筒部より外径が小さい第２鏡筒部とを有し、この第２鏡筒部は、前記シャッタ装置の前記鏡筒嵌合部に嵌合可能になっていることを特徴とする請求項５記載のカメラ装置。
【発明の詳細な説明】
【技術分野】
【０００１】
本発明は、シャッタ装置およびこれを用いたカメラ装置に係わり、デジタルムービーカメラあるいはデジタルスチルカメラ等に用いて好適なシャッタ装置およびこれを用いたカメラ装置に関する。
【背景技術】
【０００２】
従来のシャッタ装置を、特許文献１に基づいて説明すると、図５、図６に示すように、矩形状の地板５０には、丸孔からなる所定の口径の開口部５０ａが貫通形成されている。前記地板５０表面に形成した複数の摺動レール５０ａ上には、第１、第２羽根５１、５２がスライド自在に載置されている。
また、第１絞り羽根５１の一端部（図示手前）側には長孔５１ａが、他端部（図示奥側）には三角状の絞り部５１ｂが形成され、第２絞り羽根５２の一端部側には長孔５２ａが、他端部側には丸穴状の絞り孔５２ｂが形成されている。
【０００３】
また、第１、第２羽根５１、５２上には、丸孔状の開口部５３ａを有するカバー５３が配設されている。
前記第１、第２羽根５１、５２の長孔５１ａ、５２ａには、アーム５４のピン５４ａ、５４ｂが係合しており、アーム５４が右方向、あるいは左方向に回動することで第１、第２羽根５１、５２が開口部５０ｂ、５３ａを遮蔽したり開放したりするようになっている。
また、地板５０には、ボス５０ｃが突出形成され、このボス５０ｃにスプリング５５が巻回されている。また、ボス５０ｃの孔５０ｄには、回転軸５６が挿通支持され、この回転軸５６にアーム５４の回動中心の圧入孔５４ｃが圧入等で固着されている。
【０００４】
前記回転軸５６は、円筒状のヨーク５７の内部に配設した駆動コイル５８ａを有する駆動コイル枠５８と、制動コイル５９ａを有する制動コイル枠５９とに挟まれて、下端部にロータマグネット（図示せず）が取り付けられている。
そして、ロータマグネットを駆動させて回転軸５６は、例えば反時計回り方向に回動して、アーム５４も同方向に回動し、第１羽根５１が矢印Ａ方向にスライドすると共に、第２羽根５２が第１羽根５１と反対方向の矢印Ｂ方向にスライドする。このことにより、絞り部５１ｂと絞り孔５２ｂとにより、開口部５０ｂ、５３ａを絞り込んで絞り動作を行うことができる。
あるいは、開口部５０ｂ、５３ａを完全に遮蔽してシャッタ動作を行うことができる。
【特許文献１】実用新案登録  第２５０２００５号公報
【発明の開示】
【発明が解決しようとする課題】
【０００５】
しかし、前述したような従来のシャッタ装置を図示を省略したカメラ装置に取り付けて、誤ってカメラ装置を落下させた場合に、内部に駆動コイル５８ａと制動コイル５９ａとを収納した円筒状のヨーク５７が、地板５０の図示手前側の一端部側に取り付けられているので、ヨーク５７側に大きな衝撃力が加わって地板５０が変形したりするおそれがあった。
その対策として、地板５０を厚くしなければいけなかったので、シャッタ装置の薄型化が難かしいという問題があった。
本発明は、前述したような課題を解決するためのものであり、落下等の衝撃力が加わったとしても、変形することが無く、更に薄型化が可能なシャッタ装置シャッタ装置およびこれを用いたカメラ装置を提供することを目的とする。
【課題を解決するための手段】
【０００６】
前記課題を解決するための第１の解決手段として本発明のシャッタ装置は、所定の口径の開口部が形成されたベース部材と、前記開口部を開閉する方向に回動操作可能なシャッタ羽根と、前記開口部を開閉可能に前記シャッタ羽根を回動操作可能なアクチュエータとを備え、前記ベース部材の上面には、前記シャッタ羽根が摺動自在の平坦状の羽根摺動面が形成され、この羽根摺動面の外周側には前記羽根摺動面より高い外周壁が形成され、この外周壁と前記開口部との間の一部には、前記アクチュエータを収納可能な空洞状の収納部が形成され、少なくとも前記収納部を形成した部分の前記外周壁には、この外周壁を補強するための補強部が、前記外周壁より高く形成されていることを特徴とする。
また、前記課題を解決するための第２の解決手段として、前記ベース部材には、前記開口部が形成された部分の内部に、カメラ装置側のレンズ鏡筒が嵌合可能な中空状の鏡筒嵌合部が形成されていることを特徴とする。
【０００７】
また、前記課題を解決するための第３の解決手段として、前記ベース部材には、前記羽根摺動面上に位置する前記シャッタ羽根の上部を覆うトップカバーと、前記収納部に位置する前記アクチュエータの下部を覆うボトムカバーとが配設され、前記外周壁より高く形成された前記補強部によって、前記トップカバーおよび前記ボトムカバーが位置決め可能になっていることを特徴とする。
また、前記課題を解決するための第４の解決手段として、前記ボトムカバーおよび前記トップカバーを位置決めした前記補強部は、前記ボトムカバーおよび前記トップカバーから所定量突出していることを特徴とする。
【０００８】
また、前記課題を解決するための第５の解決手段として本発明のカメラ装置は、請求項１乃至３のいずれかに記載のシャッタ装置と、所定の口径のレンズを有するレンズ鏡筒と、このレンズ鏡筒の後端側に配設した撮像素子と、前記レンズ鏡筒との間に前記シャッタ装置を挟持可能なケース部材とを備え、
前記ケース部材と前記レンズ鏡筒との間に挟持した前記シャッタ装置は、前記ケース部材によって前記補強部が押圧されて、前記レンズ鏡筒に取付可能になっていることを特徴とする。
また、前記課題を解決するための第２の解決手段として、前記レンズ鏡筒は、第１のレンズを内部に収納する外径の大きな第１鏡筒部と、第２のレンズを内部に収納して前記第１鏡筒部から一方側に突出する前記第１鏡筒部より外径が小さい第２鏡筒部とを有し、この第２鏡筒部は、前記シャッタ装置の前記鏡筒嵌合部に嵌合可能になっていることを特徴とする。
【発明の効果】
【０００９】
本発明のシャッタ装置の外周壁と開口部との間の一部には、アクチュエータを収納可能な空洞状の収納部が形成され、少なくとも収納部を形成した部分の外周壁を補強するための補強部が、外周壁より高く形成されているので、ボトムカバーとトップカバーとを位置決めした補強部で、外周壁に加わる衝撃荷重等を受け止めることができ、シャッタ装置が変形するのを防止できる。
また、ベース部材には、開口部が形成された部分の内部に、カメラ装置側のレンズ鏡筒が嵌合可能な中空状の鏡筒嵌合部が形成されているので、鏡筒嵌合部にカメラ装置のレンズ鏡筒を嵌合させることにより、外部から衝撃力等が加わったとしても、シャッタ装置の動きを規制することができる。
【００１０】
また、外周壁より高く形成された補強部によって、トップカバーおよびボトムカバーが位置決め可能になっているので、トップカバーおよびボトムカバーの組立が容易である。
また、ボトムカバーおよびトップカバーを位置決めした補強部は、ボトムカバーおよびトップカバーから所定量突出しているので、外部から加わる衝撃力を補強部で受け止めることができ、シャッタ装置が変形するのを防止できる。
【００１１】
また、本発明のカメラ装置は、ケース部材とレンズ鏡筒との間にに挟持したシャッタ装置が、ケース部材によって補強部が押圧されて、レンズ鏡筒に取付可能になっているので、ケース部材に押圧されてレンズ鏡筒に取り付けたシャッタ装置が変形するのを防止できる。
また、第２鏡筒部には、シャッタ装置の鏡筒嵌合部が嵌合可能になっているので、第２鏡筒部に嵌合させたシャッタ装置は、第１、第２レンズを透過する光の光軸方向と直交する方向の動きを規制することができる。
そのために、カメラ装置を誤って落下させてシャッタ装置に衝撃力が加わったとしても、シャッタ装置に加わる衝撃力をレンズ鏡筒で受け止めて、シャッタ装置が変形したり、動いたりすることをぼうしできる。
【発明を実施するための最良の形態】
【００１２】
以下、本発明に関するシャッタ装置Ｓの実施の形態を図１〜図４に基づいて説明する。図１は本発明のシャッタ装置Ｓの分解斜視図であり、図２は図１のトップカバーを除いた状態の平面図であり、図３は本発明のカメラ装置の分解斜視図であり、図４は図３の４−４要部断面図である。
【００１３】
まず、本発明のシャッタ装置Ｓの最下部には、材質が鋼板等の磁性材料で形成された、外形が円形状のボトムカバー１が配設されている。
前記ボトムカバー１は、中央部に開口１ａが形成され、この開口１ａの外側に略円形状の平坦部１ｂが形成されて外形が略ドーナッツ状になっている。
また、ボトムカバー１は、平坦部１ｂの外周部に３個の位置決め溝１ｃと、１個の端子逃げ部１ｄとが形成されている。
【００１４】
また、ボトムカバー１の図示右側の２つの位置決め溝１ｃ、１ｃに挟まれた平坦部１ｂ上には、樹脂材料からなる板状のアクチュエータ２が配設されており、このアクチュエータ２は、面積の大きな回動基部２ａが形成され、この回動基部２ａの重心位置である中央部には、所定の径寸法と高寸法で支持部２ｂが突出形成されている。
前記回動基部２ａの図示奥側には、第１腕部２ｃが図示左方向に延びて形成され、この第１腕部２ｃの端部側に、所定の径寸法と高寸法で突出する羽根操作部２ｄが形成されている。
【００１５】
前記羽根操作部２ｄの高さ寸法は、支持部２ｂの高寸法より若干高く形成されて、先端部が後述するトップカバー１３を挿通するようになっている。
また、回動基部２ａの図示手前側には、第１腕部２ｃと同方向に延びて第２腕部２ｅが形成されている。
前記アクチュエータ２の回動基部２ａには、一対の第１、第２マグネット２ｆ、２ｇが配設されており、第１マグネット２ｆは、支持部２ｂを挟んだ回動基部２ａの図示奥側の一方側に接着剤等で固着されている。
【００１６】
また、第２マグネット２ｇは、支持部２ｂを挟んだ回動基部２ａの図示手前側の他方側に接着剤等で固着されている。
前記回動基部２ａに固着した第１マグネット２ｆは、後述するベース部材３の開口部３ｂに近い側が例えばＳ極に、開口部３ｂから遠い側がＮ極に着磁されている。また、第２マグネット２ｇは、第１マグネット２ｆと着磁方向が逆になっており、後述するベース部材３の開口部３ｂに近い側が例えばＮ極に、開口部３ｂから遠い側がＳ極に着磁されている。
即ち、第１、第２マグネット２ｆ、２ｇは、ベース部材３の開口部３ｂから近い側と遠い側とが互いに異なる磁極が着磁されている。
【００１７】
また、平坦部１ｂ上にアクチュエータ２を載置した状態のボトムカバー１上には、外径がボトムカバー１と略同じ大きさに形成された樹脂材料からなるベース部材３が配設され、ベース部材３の上面には、後述するシャッタ羽根１２が摺動自在の平坦状の羽根摺動面３ａが形成されると共に、中心部に所定の口径の開口部３ｂが形成されている。
また、開口部３ｂの外側近傍の羽根摺動面３ａ上には、後述する羽根部材１２の厚さより高さ寸法が若干プラスのカバー受け部３ｃが、略馬蹄形状に突出形成されている。
【００１８】
また、ベース部材３の外周側には、羽根摺動面３ａより高い外周壁３ｄが形成され、この外周壁３ｄの高さ寸法は、カバー受け部３ｃと同じ高さで突出形成されている。
前記外周壁３ｄと開口部３ｂとの間で、カバー受け部３ｃの図示右側から外周壁３ｄまでの間に、空洞状で略扇状の収納部３ｅが貫通形成されている。
また、収納部３ｅが形成された部分の外周壁３ｄの内側には、所定の間隔を有して第１、第２補強部４、５が貫通形成され、この第１、第２補強部４、５には、外周壁３ｄより所定寸法高い、上部位置決め部４ａ、５ａと下部位置決め部４ｂ、５ｂとが突出形成されている。
【００１９】
また、羽根摺動面３ａが形成された外周壁３ｄの図示左側にも、第１、第２補強部４、５と同じような第３補強部６が形成され、この第３補強部６には、上部位置決め部６ａと図４に示す下部位置決め部６ｂとが形成されている。
即ち、少なくとも、収納部３ｅを形成した部分の薄肉になった外周壁３ｄには、薄肉の外周壁３ｄを補強するための第１、第２補強部４、５が貫通形成されている。そして、第１、第２、第３補強部４、５、６のそれぞれの上部位置決め部４ａ、５ａ、６ａには、後述するトップカバー１３の位置決め溝１３ｂを嵌合させて位置決め可能になっている。
また、第１、第２、第３補強部４、５、６のそれぞれの下部位置決め部４ｂ、５ｂ、６ｂには、ボトムカバー１の位置決め溝１ｃを嵌合させて位置決め可能になっている。
【００２０】
また、空洞状の収納部３ｅには、第１、第２補強部４、５の間の外周壁３ｄとカバー受け部３ｃが形成された部分とを橋渡しする桟部７が、所定の幅寸法と厚さ寸法で形成され、前記桟部７にアクチュエータ２の支持部２ｂを嵌合支持可能な孔からなる回動支持部７ａが貫通形成されている。
また、収納部３ｅの図示奥側の壁面３ｆと羽根摺動面３ａとが接する部分の境界部分には、第１、第２、第３補強部４、５、６の上部位置決め部４ａ、５ａ、６ａと略同じ高さに形成された羽根支持部８が突出形成されている。
また、開口部３ａが形成された部分のベース部材３の内部には、後述するカメラ装置Ｃのレンズ鏡筒２０の一部である第２鏡筒部２２が嵌合可能な孔状の鏡筒嵌合部３ｇが所定深さに形成されている。
【００２１】
このようなベース部材３は、ボトムカバー１の平坦部１ｂ上にアクチュエータ２を載置した状態で、３個の位置決め溝１ｃに第１、第２、第３補強部４、５、６の下部位置決め部４ｂ、５ｂを嵌合させると、アクチュエータ２の支持部２ｂが桟部７の回動支持部７ａに嵌合支持される。
そして、回動支持部７ａに嵌合する支持部２ｂは、回動支持部７ａを挿通して先端部が、後述するトップカバー１３に当接可能になっている。
また、第１、第２マグネット２ｆ、２ｇの間には、所定の隙間を有して桟部７が位置するようになっているので、アクチュエータ２は、支持部２ｂを支点として一方側と他方側とがシーソー状に回動自在となっている。
【００２２】
また、ベース部材３の第２、第３補強部５、６間には、所定の幅寸法と深さ寸法の端子固定部９が彫り込み形成され、この端子固定部９には、後述するコイル１１に通電するための端子部材１０が固定可能になっている。
前記端子部材１０は、樹脂材料からなる基部１０ａにインサート成型等で例えば２本の端子１０ｂが埋設されている。そして、端子１０ｂがベース部材３の外部に引き出されている。
【００２３】
また、収納部３ｅに収納した状態のアクチュエータ２の第１、第２マグネット２ｆ、２ｇと対向する上方には、所定の隙間を有して第１、第２マグネット２ｆ、２ｇの一端部側と他端部側とに対向可能な所定の幅寸法で略楕円状のコイル１１が配設されている。
前記コイル１１は、薄板状に形成されて、ベース部材３の桟部７に接着剤等で固着されて、第１、第２マグネット２ｆ、２ｇに対して所定の隙間が形成されるようになっている。
【００２４】
また、ベース部材３の羽根摺動面３ａ上には、薄板状のシャッタ羽根１２が載置されている。そして、シャッタ羽根１２には、ベース部材３の羽根支持部８に嵌合支持可能な丸孔状の支持部１２ａと、アクチュエータ２の羽根操作部２ｄが係合可能な長溝状の操作部１２ｂと、開口部３ｂを遮蔽可能な面積の大きな遮蔽部１２ｃとが形成されている。
前記シャッタ羽根１２は、厚さが羽根摺動面３ａから突出する外周壁３ｄの高さ寸法より若干薄く形成されている。
【００２５】
また、外周壁３ｄ上には、羽根摺動面３ａ上に位置するシャッタ羽根１２を覆うトップカバー１３が配設され、このトップカバー１３は、鉄板等の磁性材料からなり、ベース部材３の外径寸法と略同じ大きさの円形状に形成されている。
前記トップカバー１３には、中心部にベース部材３の開口部３ｂより大きな開口１３ａが形成されると共に、外周部にベース部材３の第１、第２、第３補強部４、５、６の上部位置決め部４ａ、５ａ、６ａが嵌合して位置決め可能な位置決め溝１３ｂが３箇所に形成されている。
【００２６】
そして、３箇所の位置決め溝１３ｂを第１、第２、第３補強部４、５、６の上部位置決め部４ａ、５ａ、６ａに嵌合させて位置決めしたトップカバー１３には、羽根支持部８が挿通嵌合可能な丸孔１３ｃと、アクチュエータ２の羽根操作部２ｄが係合してスライド可能な長孔１３ｄがそれぞれ貫通形成されている。
そして、外周壁３ｄ上に位置決めしたトップカバー１３と、羽根摺動面３ａ上に載置したシャッタ羽根１２との間に微細な隙間ができて、シャッタ羽根１２が回動自在になっている。
【００２７】
また、ボトムカバー１、およびトップカバー１３は、接着剤等でベース部材３に固着されるようになっている。
そして、ボトムカバー１、およびトップカバー１３を固着したベース部材３は、第１、第２、第３補強部４、５、６の上部位置決め部４ａ、５ａ、６ａがトップカバー１３位置決め溝１３ｂから若干突出すると共に、下部位置決め部４ｂ、５ｂと第３補強部６の下部位置決め部（図示せず）がボトムカバー１の位置決め溝１ｃから若干突出するようになっている。
【００２８】
このような本発明のシャッタ装置Ｓの動作を説明すると、まずコイル１１に一方向の電流を通電して発生する磁束が、第１、第２マグネット２ｆ、２ｇの一方と他方の磁極の磁束に作用することにより、アクチュエータ２が支持部２ｂを支点として、例えば時計回り方向に回動する。
すると、アクチュエータ２の羽根操作部２ｄによって、羽根支持部８に支持したシャッタ羽根１２が羽根支持部８を支点として反時計回り方向に回動し、遮蔽部１２ｃが開口部３ｂを遮蔽する方向に回動する。
【００２９】
そして、遮蔽部１２ｃが開口部３ｂを完全に遮蔽してシャッタ動作を行うことができる。
このような本発明のシャッタ装置Ｓは、外部から衝撃が加わったしても、３箇所に形成した補強部４、５、６によって、変形あるいは破壊等の障害が発生するのを防止できるようになっている。
【００３０】
本発明のシャッタ装置Ｓの実施の形態では、外周壁３ｄ上にボトムカバー１およびトップカバー１３を載置して位置決めしたもので説明したが、ボトムカバー１およびトップカバー１３の大きさを外周壁３ｄの内周円と略同じ大きさにして、ボトムカバー１およびトップカバー１３を外周壁３ｄの内側で位置決めし、補強部４、５、６の高さを外周壁３ｄと同じにしたものでも良い。
【００３１】
このような本発明のシャッタ装置Ｓを用いたカメラ装置Ｃを、図３、図４に基づいて説明する。まず、本発明のカメラ装置Ｃは、所定の口径のレンズを有するレンズ鏡筒２０が配設されており、このレンズ鏡筒２０は、第１のレンズ（図示せず）を内部に収納する外径の大きな第１鏡筒部２１と、この第１鏡筒部２１から図示上方の側面２１ａから上方に所定高さで突出する第１鏡筒部２１より外径が小さい第２鏡筒部２２とを有している。
前記第２鏡筒部２２には、開口部２２ａが形成され、この開口部２２ａ内に所定の口径の第２レンズ２３が収納されている。そして、開口２２ａから入射して第２レンズ２３、および第１レンズを透過した光が光軸Ｋ方向に侵入するようになっている。
【００３２】
また、第１鏡筒部２１の後端（図示下端）側には、筐体２３が配設され、この筐体２３には、光軸Ｋが交わる部分に、ＣＣＤ等の撮像素子（図示せず）が配設されて、開口部２２ａから入射して第２レンズ２３、および第１レンズを透過した光を受光するようになっている。
また、シャッタ装置Ｓを、レンズ鏡筒２０の側面２１ａとの間に押圧挟持して取付可能なケース部材２４が、図４に示すシャッタ装置Ｓの上方に配設されている。
【００３３】
前記ケース部材２４とレンズ鏡筒２０の側面２１ａとの間に押圧挟持したシャッタ装置Ｓは、３箇所の補強部４、５、６がケース部材２４に押圧されて、レンズ鏡筒２０に取付可能になっている。
そのために、ケース部材２４によって、シャッタ装置Ｓに大きな押圧荷重が加わったとしても、この大きな押圧荷重を補強部４、５、６で受け止めて、シャッタ装置Ｓが変形するような障害の発生を防止することができる。
【００３４】
そして、羽根摺動面３ａおよびシャッタ羽根１２も変形することなく、シャッタ羽根１２が無理なく回動するスムーズなシャッタ動作を行うことができる。
また、シャッタ装置Ｓは、開口部３ｂ周辺の羽根摺動面３ａを形成した部分の肉厚を薄くすることができ、薄型化が可能となり、シャッタ装置Ｓを用いたカメラ装置Ｃ全体の薄型化も可能である。
【００３５】
また、レンズ鏡筒２０に取り付けたシャッタ装置Ｓは、鏡筒嵌合部３ｇに第２鏡筒部２２が嵌合して一体化されるので、光軸Ｋと直交する方向の動きが規制可能になっている。
そのために、カメラ装置Ｃを操作者が誤って机の上等に落下させたとしても、シャッタ装置Ｓが動くことがない。
【図面の簡単な説明】
【００３６】
【図１】本発明のシャッタ装置の分解斜視図である。
【図２】図１のトップカバーを除いた状態の平面図である。
【図３】本発明のカメラ装置の分解斜視図である。
【図４】図３の４−４要部断面図である。
【図５】従来のシャッタ装置の分解斜視図である。
【図６】図５の要部分解斜視図である。
【符号の説明】
【００３７】
Ｓ  本発明のシャッタ装置
１  ボトムカバー
２  回動部材
２ａ  回動基部
２ｂ  支持部
２ｄ  羽根操作部
２ｆ  第１マグネット
２ｇ  第２マグネット
３  ベース部材
３ａ  開口部
３ｂ  羽根摺動面
３ｃ  カバー受け部
３ｄ  外周壁
３ｅ  収納部
３ｇ  鏡筒嵌合部
４〜６  第１〜第３補強部
７  桟部
１１  コイル
１２  羽根部材
１３  トップカバー
Ｃ  本発明のカメラ装置
２０  レンズ鏡筒
２１  第１鏡筒部
２１ａ  側面
２２  第２鏡筒部
【図１】
2006072022.tif 000003
【図２】
2006072022.tif 000004
【図３】
2006072022.tif 000005
【図４】
2006072022.tif 000006
【図５】
2006072022.tif 000007
【図６】
2006072022.tif 000008